(57)【要約】【課題】  皮膚外用剤の塗布タイミングを判断することが可能な装置を提供する。【解決手段】  タイミング判定システム１００は、皮膚外用剤の塗布タイミングを判定するためのタイミング判定装置１と、当該タイミング判定装置１に指標としての気象情報を配信する気象情報配信サーバ２と、指標としてのスケジュール情報を送信するスケジュール情報管理サーバ３と、皮膚外用剤の塗布状況を撮像可能な撮像装置４と、を備えている。【選択図】  図１
2014010750.tif 000002
【特許請求の範囲】
【請求項１】
所定の指標に応じて、皮膚外用剤の塗布タイミングを判定する判定部と、
前記判定部により判定された塗布タイミングを通知する通知部と、
を備える塗布タイミング判定装置。
【請求項２】
請求項１に記載の皮膚外用剤の塗布タイミング判定装置であって、
前記指標は、気象に関する情報、又はスケジュールに関する情報の少なくとも何れかである
ことを特徴とする皮膚外用剤の塗布タイミング判定装置。
【請求項３】
請求項２に記載の皮膚外用剤の塗布タイミング判定装置であって、
前記気象に関する情報は、天気、又は紫外線指数の少なくとも何れかである
ことを特徴とする皮膚外用剤の塗布タイミング判定装置。
【請求項４】
請求項２又は３に記載の皮膚外用剤の塗布タイミング判定装置であって、
前記スケジュールに関する情報は、当該スケジュールに含まれるキーワードである
ことを特徴とする皮膚外用剤の塗布タイミング判定装置。
【請求項５】
請求項３又は４に記載の皮膚外用剤の塗布タイミング判定装置であって、  前記判定部は、前記指標に応じて定まる所定の係数を、前記指標の継続時間に乗じた値を算出し、当該値が所定の閾値に達すると、塗布タイミングと判定する
ことを特徴とする皮膚外用剤の塗布タイミング判定装置。
【請求項６】
請求項１から５の何れか一項に記載の皮膚外用剤の塗布タイミング判定装置であって、
前記通知部は、前記皮膚外用剤の塗布状況を撮像した撮像画像を、表示装置に表示させる
ことを特徴とする皮膚外用剤の塗布タイミング判定装置。
【請求項７】
皮膚外用剤の塗布状況を撮像するための撮像装置と、
前記撮像装置の撮像した撮像画像を表示する表示装置と、
所定の指標に応じて、皮膚外用剤の塗布タイミングを判定する判定部と、
前記判定部により判定された塗布タイミングを通知し、前記皮膚外用剤の塗布状況を撮像した撮像画像を、前記表示装置に表示させる通知部と、を有する塗布タイミング判定装置と、を備える
ことを特徴とする皮膚外用剤の塗布タイミング判定システム。
【請求項８】
所定の指標に応じて、皮膚外用剤の塗布タイミングを判定するステップと、
前記判定された塗布タイミングを通知するステップと、を実行する
ことを特徴とする皮膚外用剤の塗布タイミング判定方法。
【請求項９】
コンピュータに、皮膚外用剤の塗布タイミングを判定させるプログラムであって、
前記コンピュータを、制御手段として機能させ、
前記制御手段に、
所定の指標に応じて、皮膚外用剤の塗布タイミングを判定するステップと、
前記判定された塗布タイミングを通知するステップと、を実行させる
ことを特徴とするプログラム。
【発明の詳細な説明】
【技術分野】
【０００１】
本発明は、皮膚外用剤の塗布タイミングを判定する技術に関する。
【背景技術】
【０００２】
近年、紫外線の健康への影響に関する研究が進んでいる。地表に届く紫外線には、ＵＶ−Ａ（長波長紫外線）とＵＶ−Ｂ（中波長紫外線）が存在し、ＵＶ−Ａは主にメラニン色素を生じる黒化反応（tanning）を引き起こし、ＵＶ−Ｂは主に紅斑を生じる紅斑反応（burning）を引き起こすとされている。また、急性な症状だけでなく、紫外線は細胞のＤＮＡを損傷させて皮膚の老化、癌化、免疫機能の低下等、慢性的かつ深刻な健康被害をもたらすことが知られている。実際に、各国でも紫外線へのばく露を自粛するよう勧告がなされており、今後も対策や教育の徹底が求められている。
【０００３】
一般的な紫外線対策としては、外出の規制、服装と並んで、日焼け止め（サンスクリーン剤）による防護が挙げられる。このような紫外線防護効果を有する皮膚外用剤にはＳＰＦ（Sun Protection Factor）やＰＡ（Protection grade of UVA）等の防御指標が定められており、指標に従って使用すれば大きな効果を得られる。しかしながら、無色透明であることの多い皮膚外用剤を、指標で規定される通りに厚く均一に塗布することは難しい。また、発汗や接触、紫外線そのものによる劣化等でその効果が徐々に失われてゆくため、一定時間毎の塗布も推奨されている。このように十分な効果を得るには入念、かつ頻繁な塗布が必要となる。
【０００４】
そこで、紫外線防護効果を有する皮膚外用剤を正しく塗布するために、塗布状態を判定するための技術が知られている。例えば引用文献１には、皮膚に紫外線を照射しながら画像を撮影し、撮像画像から皮膚外用剤の塗布状態を判定する塗布状態判定装置が開示されている。
【先行技術文献】
【特許文献】
【０００５】
【特許文献１】特開２００５−３２１３３３号公報
【発明の概要】
【発明が解決しようとする課題】
【０００６】
しかしながらこのような技術では、塗り直しのタイミングを自分で判断して撮像を行わなければならない。感覚に頼った塗布では、既に皮膚外用剤の効果が失われていたり、忘れてしまったりすることが懸念される。
【０００７】
そこで本発明は、皮膚外用剤の塗布タイミングを判定することが可能な装置を提供することを目的とする。
【課題を解決するための手段】
【０００８】
すなわち、本発明に係る皮膚外用剤の塗布タイミング判定装置は、所定の指標に応じて、皮膚外用剤の塗布タイミングを判定する判定部と、前記判定部により判定された塗布タイミングを通知する通知部と、を備えることを特徴とする。
【発明の効果】
【０００９】
皮膚外用剤の塗布タイミングを判定することが可能な装置を提供できる。
【図面の簡単な説明】
【００１０】
【図１】タイミング判定システム１００の概略図である。
【図２】タイミング判定システム１００の機能構成を説明するためのブロック図である。
【図３】（ａ）通知条件テーブル１２１０の概略説明図、（ｂ）通知時間テーブル１２１１の概略説明図である。
【図４】（ａ）〜（ｄ）設定画面１２００Ａ〜１２００Ｄの例を示す説明図である。
【図５】状況予測テーブル１２２０の概略説明図である。
【図６】通知画面１３００の例を示す説明図である。
【図７】状況予測部１１２の実行する処理の流れを示すフローチャートである。
【図８】通知判定部１１３の実行する処理の流れを示すフローチャートである。
【図９】タイミング判定システム１００Ａの機能構成を説明するためのブロック図である。
【図１０】（ａ）通知条件設定画面１２００Ｅの説明図、（ｂ）通知条件テーブル１２１０Ａの概略説明図である。
【図１１】状況予測テーブル１２２０Ａの概略説明図である。
【図１２】変換テーブル１２４０の概略説明図である。
【図１３】状況予測部１１２Ａの実行する処理の流れを示すフローチャートである。
【図１４】通知判定部１１３Ａの実行する処理の流れを示すフローチャートである。
【図１５】タイミング判定装置１の電気的な構成を示すブロック図である。
【発明を実施するための形態】
【００１１】
＜第一の実施形態＞
本発明の第一の実施形態に係る皮膚外用剤の塗布タイミング判定システム１００（以下、タイミング判定システム１００と称する）は、皮膚外用剤の塗布タイミングを判断し、それを利用者に喚起する通知を行うものである。以下、このようなタイミング判定システム１００について、図面を参照しながら説明する。図１はタイミング判定システム１００の概略図、図２はタイミング判定システム１００の機能構成を説明するためのブロック図である。
【００１２】
図１及び図２に示すように、塗布タイミング判定システム１００は、タイミング判定装置１と、気象情報配信サーバ２と、スケジュール管理サーバ３と、撮像装置４と、を備えている。
【００１３】
撮像装置４は、皮膚外用剤の塗布状態を判定することが可能なように対象を撮像可能なものであれば、どのようなものであってもよい。例えば、紫外線によって発生する蛍光を捕捉する間接法により、その塗布状態を判定する。間接法は紫外線が真皮に到達した際に蛍光が発せられることを利用するもので、このような撮像装置４は、紫外線を照射するための光源を含む紫外線照射部４１と、蛍光を捕捉するためのカメラを含む撮像部４２と、を備え、紫外線照射部４１によって紫外線を照射した皮膚を撮像部４２によって撮像する。このような撮像画像では、皮膚外用剤（紫外線吸収剤又は紫外線散乱剤、又はその混合剤等を含む）の塗布領域では蛍光が認められず、非塗布領域では真皮から発せられる蛍光が映り込んだ撮像画像が得られ、利用者が一目で皮膚外用剤の塗布状態を判定することができる。
【００１４】
なお、紫外線照射部４１の光源には、ブラックライト等の紫外線のみを発生させるものを用いるか、励起フィルタを用いて光源から発生する可視光線を排除することが望ましい。一方、撮像部４２のカメラには、バンドパスフィルタを用いることが望ましい。これにより蛍光のみの捕捉が可能となる。また、撮像装置４は、小型で携帯可能に構成されていることが望ましい。これにより、外出先での撮像が可能となる。
【００１５】
撮像装置４はタイミング判定装置１と直接接続されており、撮像装置４で撮像された撮像画像はタイミング判定装置１へと送られて後述の表示部１４に表示される。なお、両装置の接続形態はこれに限らず、ネットワーク１０を介して接続されるものでもよく、また、タイミング判定装置１と撮像装置４が同一の装置であってもよい。
【００１６】
本実施形態に係るタイミング判定装置１は例えば、一般的なコンピュータや、携帯電話機、デジタルカメラ、携帯ゲーム機、タブレット型コンピュータ等の携帯性を有する端末であるが、必ずしもこの限りではなく、以下に記載する機能を実現可能なものであればよい。
【００１７】
具体的にタイミング判定装置１は、各部を統括制御する制御部１１と、処理に要する情報を記憶する記憶部１２と、各部及び各装置間を接続する入出力インターフェース部（以下、ＩＦ部と称する）１３と、映像信号を表示画面として表示する表示部１４と、利用者からの操作を受け付ける操作部１５と、ＧＰＳ信号を取得するＧＰＳ受信部１６と、を備えている。
【００１８】
ＩＦ部１３は、各機能部間及び各装置間を情報の送受信可能に接続するインターフェースを提供する。
【００１９】
表示部１４は、供給される画像信号に基づいて、駆動回路が表示パネルに任意の表示画面を表示させる。これには例えば、液晶パネルとその駆動回路とを備える一般的なＬＣＤ（Liquid Crystal Display）等が挙げられる。
【００２０】
操作部１５は、利用者からの操作指示を受け付ける。これには例えば、マウス等の任意のポインティングデバイスや、キーボード、タッチパネル等のマンマシンインターフェースが挙げられる。
【００２１】
ＧＰＳ受信部１６は、ＧＰＳ衛星からのＧＰＳ信号を取得する。
【００２２】
次に、制御部１１について説明する。制御部１１は、通知を行う条件を管理する条件管理部１１１と、状況から通知タイミングを予測する状況予測部１１２と、通知を行うか否かを判断する通知判定部１１３と、を有している。
【００２３】
条件管理部１１１は、塗布タイミングの通知を行う条件が蓄積されている通知条件テーブル１２１０及び通知時間テーブル１２１１を管理する。図３（ａ）に、通知条件テーブル１２１０の概略説明図を、図３（ｂ）に、通知時間テーブル１２１１の概略説明図を示す。通知条件テーブル１２１０及び通知時間テーブル１２１１は、記憶部１２の通知関連テーブル記憶領域１２１に記憶されている。
【００２４】
まず、通知条件の設定を受け付ける処理について説明する。条件管理部１１１は、表示部１４に所定の条件設定画面を表示させ、利用者から操作部１５を介して通知条件の設定や変更を受け付ける。図４（ａ）〜図４（ｄ）は、条件設定画面の一例を示す説明図である。
【００２５】
図４（ａ）に示す条件設定画面１２００Ａは、どのような指標によって通知タイミングを決定するかについての設定を受け付けるモード設定領域１２ａを有する画面である。なお本実施形態では、モードは「タイマー連動」「天気連動」「スケジュール連動」の３つから選択可能な構成となっている。
【００２６】
条件管理部１１１は、条件設定画面１２００Ａにおいて各モードのＯＮ／ＯＦＦの切り換えを受け付ける。図４（ａ）では、タイマー連動モードが「ＯＦＦ」、天気連動モードとスケジュール連動モードが「ＯＮ」という設定を利用者から受け付けている例を示している（モード設定領域１２ａ）。
【００２７】
「タイマー連動」モードは、タイマーのみで通知タイミングを決定し、定時、或いはある起算時刻から所定の時間毎に通知を実行することが可能なモードである。条件管理部１１１は、図４（ｂ）に示すようなタイマー連動設定画面１２００Ｂを表示させ、詳細な通知時刻の設定を受け付ける。例えば図４（ｂ）では、９：００に通知を行う定時設定と（定時設定領域１２ｃ）、１２０分経過毎に通知を行う毎時設定と（毎時設定領域１２ｄ）、が利用者によってなされている例を示している。
【００２８】
「天気連動」モードは、天気の内容によって通知タイミングを決定するモードである。条件管理部１１１は、図４（ｃ）に示すような天気連動設定画面１２００Ｃを表示させ、天気の内容と連動した通知タイミングについての設定を受け付ける。例えば図４（ｃ）では、天気が「晴」又は「曇」の場合には９０分経過毎に通知を行う設定と、「雨」の場合には１２０分経過毎に通知を行う設定と、が利用者によってなされた例を示している（天気設定領域１２ｅ）。
【００２９】
「スケジュール連動」モードは、スケジュールの内容（キーワード）によって通知のタイミングを決定するモードである。条件管理部１１１は、図４（ｄ）に示すようなスケジュール連動設定画面１２００Ｄを表示させ、スケジュールの内容（キーワード）と連動した通知のタイミングについての設定を受け付ける。例えば図４（ｄ）では、キーワード「外出」のスケジュールが開始する１０分前、及び開始後６０分経過毎に通知を行う設定が利用者によってなされた例を示している（キーワード設定領域１２ｆ）。
【００３０】
また、条件設定画面１２００Ａで、開始時刻と終了時刻によって通知時間帯を設定可能な構成としてもよい。図４（ａ）では、８：００（開始時刻）から１８：００（終了時刻）を通知時間帯とし、この間のみ通知が実行される旨の設定を受け付けている例を示す（オプション設定領域１２ｂ）。
【００３１】
条件管理部１１１は、上記のような通知条件を、図３（ａ）及び（ｂ）に示すような通知条件テーブル１２１０及び通知時間テーブル１２１１により管理する。
【００３２】
通知条件テーブル１２１０は、条件を特定するためのＩＤが格納される条件ＩＤ格納領域１２１Ａと、当該条件の内容が格納される条件内容格納領域１２１Ｂと、当該条件における通知のＯＮ／ＯＦＦを格納する通知設定格納領域１２１Ｃと、を有している。なお、条件内容格納領域１２１Ｂには例えば、モード（タイマー連動、天気連動、スケジュール連動等）、ステータス（定時、毎時、天気、キーワード等）、実行時間（通知を実行するタイミング等）に関する情報が格納される。なお、通知の際に実行されるイベントの内容（例えば、表示画面や出力音声等を特定する情報）を格納してもよい。これは、予め記憶部１２に設定条件に応じて実行される通知イベントを定めたテーブルを記憶させておき、当該テーブルを参照することで実現可能である。
【００３３】
条件管理部１１１は例えば、新たな条件の追加があった場合、通知条件テーブル１２１０に新たなレコードを作成し、一意に定まるＩＤを付与して条件ＩＤ格納領域１２１Ａに格納する。そして、設定内容を条件内容格納領域１２１Ｂに格納し、通知設定格納領域１２１Ｃに通知設定のＯＮ／ＯＦＦを格納する。なお、条件の更新があった場合には、該当するレコードを更新し、条件の削除があった場合には該当するレコードを削除する。
【００３４】
通知時間テーブル１２１１は、開始時刻が格納される開始時刻格納領域１２１Ｄと、終了時刻が格納される終了時刻格納領域１２１Ｅと、を備える。
【００３５】
条件管理部１１１は、開始時刻の設定を受け付けると、通知時間テーブル１２１１の開始時刻格納領域１２１Ｄに設定された開始時刻を登録し、終了時刻の設定を受け付けると、終了時刻格納領域１２１Ｅに設定された終了時刻を登録する。そして現在時刻が開始時刻に達すると、状況予測部１１２及び通知判定部１１３に対し、処理の開始要求を出力する。
【００３６】
次に、状況予測部１１２について説明する。状況予測部１１２は、次回の通知タイミングを予測する状況予測処理を実行して、状況予測テーブル１２２０を管理する。図５に、状況予測テーブル１２２０の概略説明図を示す。なお、状況予測テーブル１２２０は、記憶部１２の状況予測テーブル記憶領域１２２に記憶されている。
【００３７】
状況予測テーブル１２２０は、当日の前回通知時刻が格納される前回通知時刻格納領域１２２Ａと、ＧＰＳによって計測された位置が格納される位置情報格納領域１２２Ｂと、天気が格納される天気情報格納領域１２２Ｃと、当日のスケジュールが格納されるスケジュール情報格納領域１２２Ｄと、次回の通知に関する情報が条件毎に格納される通知情報格納領域１２２Ｅと、を有している。
【００３８】
具体的に状況予測部１１２は、開始時刻（通知時間帯）になって条件管理部１１１からの開始要求を受け付けると、以下の処理を開始する。
【００３９】
まず、状況予測部１１２は、ＧＰＳ受信部１６を介してＧＰＳ位置情報を取得し、位置情報格納領域１２２Ｂに格納する。
【００４０】
そして、状況予測部１１２は、位置情報から割り出した地域の天気を気象情報配信サーバ２から取得する。気象情報配信サーバ２は、気象に関する情報を蓄積、配信するサーバである。気象情報配信サーバ２の制御部２１は、状況予測部１１２から位置情報から割り出した地域の天気配信要求を受信すると、位置情報から割り出された位置におけるその時点の天気を気象情報ＤＢ２２から抽出し、これを天気情報としてＩＦ部２３及びネットワーク１０を介して状況予測部１１２に送信する。状況予測部１１２は、この天気情報を天気情報格納領域１２２Ｃに格納する。
【００４１】
なお天気情報は、例えば天気予報であってもよい。その場合には、気象情報配信サーバ２から当日の天気予報を予め取得して記憶部１２に記憶させておくことで、ネットワーク１０に接続を要することなく天気予報を利用することができる。また、必ずしも詳細な位置の天気を取得する必要はなく、例えば予め利用者に地域を設定させておくことで、ＧＰＳ受信機能を要することなくその地域の天気を得ることが可能である。
【００４２】
次に状況予測部１１２は、利用者のスケジュールを、ネットワーク１０を介してスケジュール管理サーバ３から取得する。スケジュール管理サーバ３は、利用者によって登録されるスケジュール情報を管理、配信するサーバである。スケジュール管理サーバ３の制御部３１は、状況予測部１１２から所定の利用者ＩＤを含むスケジュール送信要求を受信すると、当該利用者のその日のスケジュールをスケジュールＤＢ３２から抽出し、スケジュール情報としてＩＦ部３３及びネットワーク１０を介して状況予測部１１２に送信する。状況予測部１１２は、このスケジュール情報をスケジュール情報格納領域１２２Ｄに格納する。
【００４３】
なお、ここではスケジュール情報はネットワーク１０を介してスケジュール管理サーバ３内でオンライン管理されているものとしたが、必ずしもこれに限らず、タイミング判定装置１の記憶部１２でオフライン管理されていてもよい。これによれば、ネットワーク１０への接続を要することなく、利用者のスケジュールを取得できる。
【００４４】
次に状況予測部１１２は、その時点における次回の予測通知時刻を、条件毎に予測する。具体的に状況予測部１１２はまず、通知条件テーブル１２１０から各条件を読み出して、その時点における次回の通知時刻を算出する。
【００４５】
具体的に、状況予測部１１２はまず、通知条件テーブル１２１０から各条件を読み出して、通知情報格納領域１２２Ｅに各条件のレコードを作成し、条件ＩＤ格納領域１２２Ｆに条件ＩＤを格納する。そして、通知設定格納領域１２１Ｃに「ＯＮ」が登録されている条件について、予測通知時刻の算出を行う。例えば、図３（ａ）に示す通知条件テーブル１２１０では、ＩＤ０００１及び０００２は通知設定が「ＯＦＦ」のため、実際には予測通知時刻の算出は実行されないが、以下、予測通知時刻の算出を行う場合の例について説明する。
【００４６】
例えば、定時設定が９：００である条件内容（ＩＤ０００１）が読み出されたとする。状況予測部１１２は、条件ＩＤ格納領域１２２Ｆに条件ＩＤ０００１が格納されるレコードの予測通知時刻格納領域１２２Ｇに、予測通知時刻として９：００を格納する。但し、現在時刻が予測通知時刻（９：００）を過ぎている場合には、予測通知時刻の登録は行わない。
【００４７】
次に、毎時設定が１２０分経過毎とする条件内容（ＩＤ０００２）が読み出されたとする。ここで毎時設定とは、ある起算時刻から１２０分経過毎に通知をする設定である。そして起算時刻とは、利用者が皮膚外用剤を塗布したと考えられる時刻と言える。ここでは、通知時間帯の開始時刻を当日最初に皮膚外用剤が塗布された時刻と仮定し、また、前回通知時刻を皮膚外用剤が再塗布された時刻と仮定して、これらを起算時刻として取り扱う。なお、起算時刻は利用者が自由に設定してもよく、また、撮像装置４による撮像の有った時点を記憶しておき、最新の撮像時刻を起算時刻とすることもできる。さらに、定時設定の最も早い時刻を利用してもよい。
【００４８】
ここで、起算時刻から１２０分経過後毎に通知を行う設定の場合（ＩＤ０００２）、状況予測部１１２はまず、起算時刻として図５の前回通知時刻格納領域１２２Ａから当日の最新の通知時刻を取得する。しかし当日の通知時間帯中に未だ通知がない場合、前回通知時刻格納領域１２２Ａに時刻が登録されていないため、前回通知時刻を取得することができない。その場合には、状況予測部１１２は、図３（ｂ）の通知時間テーブル１２１１における開始時刻格納領域１２１Ｄに格納された開始時刻を取得して、これを起算時刻とする。
【００４９】
例えば取得された起算時刻が８：００の場合、１２０分後の１０：００が予測通知時刻となる。よって状況予測部１１２は、条件ＩＤ格納領域１２２Ｆに条件ＩＤ０００２が格納されるレコードの予測通知時刻格納領域１２２Ｇに、予測通知時刻１０：００を格納する。
【００５０】
次に、天気が「晴」のとき９０分経過毎、「曇」の場合には９０分経過毎（ＩＤ０００３、０００４）、「雨」の場合には１２０分経過毎（ＩＤ０００５）に通知を行う条件内容が読み出されたとする。状況予測部１１２は、天気情報格納領域１２２Ｃから天気情報を読み出し、これが「晴」又は「曇」の場合には、起算時刻から９０分経過後の時刻を該当する条件ＩＤのレコードの予測通知時刻格納領域１２２Ｇに格納する。一方、「雨」が読み出された場合には、起算時刻から１２０分経過後の時刻を、該当する条件ＩＤのレコードの予測通知時刻格納領域１２２Ｇに格納する。なお、該当しない天気が設定される条件については、予測通知時刻の登録は行わない。
【００５１】
なお、例えば「晴」が続いた後に「雨」に天気が変化した際には、「晴」に準じた速い通知タイミングでの通知を優先する方が望ましいと考えられる。よって本実施形態では、後述の通知判定部１１３において、通知情報のレコード中で最も早い予測通知時刻において通知がなされる構成とする。これにより、利用者が早いタイミングでの通知を望む条件（紫外線量が強いと考えられる条件）においての通知を優先することができる。
【００５２】
次に、キーワード「外出」が含まれるスケジュールが開始する１０分前（ＩＤ０００６）と、開始後６０分経過毎（ＩＤ０００７）に通知を行う条件内容が読み出されたとする。状況予測部１１２は、スケジュール情報格納領域１２２Ｄから当日のスケジュールを読み出し、該当するキーワードのスケジュールを抽出する。ここで、「１１：３０〜１３：００  外出」が読み出された場合、状況予測部１１２は、外出１０分前の１１：２０を該当する条件ＩＤのレコードの予測通知時刻格納領域１２２Ｇに格納し、外出後６０分経過後の１２：３０を該当する条件ＩＤのレコードの予測通知時刻格納領域１２２Ｇに格納する。但し、現在時刻が予測通知時刻を過ぎている場合には、予測通知時刻の登録は行わない。
【００５３】
次に、通知判定部１１３の実行する処理について説明する。具体的に通知判定部１１３は、開始時刻（通知時間帯）になって条件管理部１１１からの開始要求を受け付けると、以下の処理を開始する。
【００５４】
通知判定部１１３はまず、予測通知時刻格納領域１２２Ｇを参照し、現在時刻が各予測通知時刻に達しているか否かを判断する。現在時刻が予測通知時刻に達している場合には、塗布タイミングであることを利用者に喚起するための通知を行う。
【００５５】
なお、塗布タイミングの通知は、例えば画面出力、音声出力、光等、どのような手段を用いて行っても良い。表示画面や音声等のイベントに必要な情報は、通知イベント記憶領域１２３に記憶される。具体的な例としては、図６に示す通知画面１３００のように、「外出から６０分経ちました。日焼け止めを塗り直して下さい」等のメッセージを表示部１４に表示させたり、出力音声を図示しない音声出力部から出力したりする処理が挙げられる。通知判定部１１３は、条件内容格納領域１２１Ｂに格納されるイベントを特定する情報を読み出し、該当するイベントを通知イベント記憶領域１２３から取得して実行することで、各条件に適した通知を行う。
【００５６】
なお、メッセージには、現時点の天気情報やスケジュール情報を表示してもよい。また、撮像装置４を起動する操作に対応する領域として、「カメラを起動」等のＧＵＩを表示することも可能である。利用者は、当該領域を操作部１５を介してポインティングすることで、即座に撮像装置４を起動することができる。
【００５７】
また通知判定部１１３は、通知を行う度に、通知時刻を前回通知時刻格納領域１２２Ａに格納して、この時刻を次の通知の起算時刻とする。さらに通知判定部１１３は、予測通知時刻格納領域１２２Ｇに格納される情報を削除する。これにより、同様の通知が繰り返されるのを避けることができる。
【００５８】
このような通知により利用者が撮像装置４で自身を撮像すると、その撮像画像は表示部１４へと表示される。利用者はこの撮像画像を参考に、皮膚外用剤を塗布することができる。
【００５９】
なお、利用者は通知があってもすぐに塗布することができない状況にある場合、起算時刻となる前回通知時刻を、実際の再塗布があった時間とすることもできる。例えば、通知画面１３００に一時停止操作に対応する領域として「一時停止」等のＧＵＩを表示し、利用者がこれを選択すると、制御部は処理を一時停止する（その際、再開操作に対応する領域として「再開」等のＧＵＩを表示しておいてもよい）。その後、利用者が再塗布を行って再開指示を入力した場合、通知判定部１１３は、当該再開指示のあった時刻を前回通知時刻として、前回通知時刻格納領域１２２Ａに格納する。これにより、次の通知タイミングは、実際に塗布のあった時刻を起点として算出される。
【００６０】
ここで、タイミング判定装置１のハードウェア構成について説明する。図１５は、タイミング判定装置１の電気的な構成を示すブロック図である。
【００６１】
図１５に示すように、タイミング判定装置１は、各部を集中的に制御するＣＰＵ（Ｃｅｎｔｒａｌ  Ｐｒｏｃｅｓｓｉｎｇ  Ｕｎｉｔ）９０１と、各種データを書換え可能に記憶するメモリ９０２と、各種のプログラム、プログラムの生成するデータ等を格納する外部記憶装置９０３と、これらを接続するバス９０４と、を備える。タイミング判定装置１は、例えば、外部記憶装置９０３に記憶されている所定のプログラムを、メモリ９０２に読み込み、ＣＰＵ９０１で実行することにより実現可能である。
【００６２】
なお、上記した各構成要素は、タイミング判定装置１の構成を理解容易にするために、主な処理内容に応じて分類したものである。処理ステップの分類の仕方やその名称によって、本発明が制限されることはない。また、タイミング判定装置１が行う処理は、処理内容に応じて、さらに多くの構成要素に分類することもできる。さらに、１つの構成要素がさらに多くの処理を実行するように分類することもできる。
【００６３】
また、各機能部は、ハードウエア（ＡＳＩＣなど）により構築されてもよい。また、各機能部の処理が一つのハードウエアで実行されてもよいし、複数のハードウエアで実行されてもよい。
【００６４】
以上のように構成される本実施形態にかかるタイミング判定装置１の実行する処理を、図７に示すフローチャートを用いて説明する。図７は、本実施形態に係る状況予測部１１２の実行する処理の流れを示すフローチャートである。状況予測部１１２は、条件管理部１１１から開始要求を受け付けると（通知時間帯になると）、以下の処理を開始する。
【００６５】
状況予測部１１２は、ＧＰＳ位置情報を取得する（ステップＳ１１）。
【００６６】
具体的に、状況予測部１１２は、ＧＰＳ受信部１６を介してＧＰＳ位置情報を取得し、位置情報格納領域１２２Ｂに格納する。
【００６７】
次に状況予測部１１２は、位置情報から割り出した地域の天気を取得する（ステップＳ１２）。
【００６８】
具体的に、状況予測部１１２は、ネットワーク１０を介して気象情報配信サーバ２に位置情報から割り出した地域の天気配信要求を送信する。そして、気象情報配信サーバ２から返される該当地域の現時点の天気に関する天気情報を受信し、天気情報格納領域１２２Ｃに格納する。
【００６９】
さらに状況予測部１１２は、利用者のスケジュールを取得する（ステップＳ１３）。
【００７０】
具体的に状況予測部１１２は、ネットワーク１０を介して、スケジュール管理サーバ３に利用者ＩＤを含む当日のスケジュール送信要求を送信する。そして、スケジュール管理サーバ３から返される当該利用者の当日のスケジュールに関するスケジュール情報を受信し、スケジュール情報格納領域１２２Ｄに格納する。
【００７１】
次に状況予測部１１２は、次回の予測通知時刻を条件毎に予測する（ステップＳ１４）。
【００７２】
具体的に状況予測部１１２は、通知条件テーブル１２１０に登録される各条件のうち、通知設定格納領域１２１Ｃに「ＯＮ」が登録される条件について予測通知時刻を算出する。算出した予測通知時刻は、状況予測テーブル１２２０の各条件ＩＤに応じた予測通知時刻格納領域１２２Ｇにそれぞれ登録する。
【００７３】
そして状況予測部１１２は、現在が通知時間帯であるか否かを判定する（ステップＳ１５）。
【００７４】
具体的に状況予測部１１２は、通知時間テーブル１２１１の終了時刻格納領域１２１Ｅから終了時刻を読み取り、現在時刻が終了時刻に達しているか否かを判定する。現在時刻が終了時刻に達しておらず、未だ通知時間帯である場合には（ＹＥＳ）、ステップＳ１１へ戻って処理を繰り返す。現在時刻が終了時刻に達しており、既に通知時間帯を終了している場合には（ＮＯ）、ステップＳ１６へと進む。
【００７５】
通知時間帯が終了していた場合（ステップＳ１５でＮＯ）、状況予測部１１２は、状況予測テーブル１２２０に格納される情報を全て削除し、処理を終了する。
【００７６】
次に、本実施形態に係る通知判定部１１３の実行する処理について説明する。図８は、通知判定部１１３の実行する処理の流れを示すフローチャートである。通知判定部１１３は、条件管理部１１１から開始要求を受け付けると、以下の処理を開始する。
【００７７】
通知判定部１１３はまず、現在時刻が通知予測時刻に達しているか否かを判断する（ステップＳ２１）。
【００７８】
具体的に通知判定部１１３は、現在時刻が、予測通知時刻格納領域１２２Ｇに格納される予測通知時刻の何れかに達しているか否かを判断する。現在時刻が予測通知時刻に達していない場合には（ＮＯ）当該処理を繰り返し、達している場合には（ＹＥＳ）、ステップＳ２２へと進む。
【００７９】
現在時刻が予測通知時刻に達していた場合（ステップＳ２１でＹＥＳ）、通知判定部１１３は通知を行う（ステップＳ２２）。
【００８０】
具体的に、通知判定部１１３は、通知を行う予測通知時刻の条件ＩＤを条件ＩＤ格納領域１２２Ｆから取得し、通知条件テーブル１２１０の条件内容格納領域１２１Ｂから該当する条件ＩＤの通知イベント内容を特定する情報を読み出す。そして、当該情報から特定されるイベント内容を通知イベント記憶領域１２３から取得し、実行する。
【００８１】
そして通知判定部１１３は、通知時刻を前回通知時刻格納領域１２２Ａに登録し、予測通知時刻格納領域１２２Ｇの登録内容を全て削除する（ステップＳ２３）。
【００８２】
さらに通知判定部１１３は、現在が通知時間帯であるか否かを判定する（ステップＳ２４）。
【００８３】
具体的に通知判定部１１３は、通知時間テーブル１２１１の終了時刻格納領域１２１Ｅから終了時刻を読み取り、現在時刻が終了時刻に達しているか否かを判定する。現在時刻が終了時刻に達しておらず、未だ通知時間帯である場合には（ＹＥＳ）、ステップＳ２１へ戻って処理を繰り返す。現在時刻が終了時刻に達しており、既に通知時間帯を終了している場合には（ＮＯ）、処理を終了する。
【００８４】
以上、タイミング判定装置１が処理を行う際の一実施例について説明した。上記したフローの各処理単位は、タイミング判定装置１の処理を理解容易にするために、主な処理内容に応じて分割したものである。構成要素の分類の仕方やその名称によって、本発明が制限されることはない。また、タイミング判定装置１の構成は、処理内容に応じて、さらに多くの構成要素に分割することもできる。また、１つの構成要素がさらに多くの処理を実行するように分類することもできる。
【００８５】
このように、本発明のタイミング判定装置１によれば、天気やスケジュール等に合わせ、状況に適したタイミングで利用者に皮膚外用剤の塗布を喚起する通知を行うことができる。これにより利用者は、塗布のタイミングを逸することなく、確実な塗布が可能となる。
【００８６】
また、その際に撮像装置４を利用すれば、透明な皮膚外用剤の塗布状態を一目で確認することができるため、塗り残しなく均一な塗布を行うことができる。
【００８７】
＜第二の実施形態＞
次に、本発明の第二の実施形態について説明する。本実施形態に係るタイミング判定システム１００Ａは、図９に示すように、第一の実施形態に係るタイミング判定システム１００とほぼ同様の構成を有しているが、タイミング判定装置１Ａの制御部１１Ａの実行する処理が、第一の実施形態とは異なる。なお、第一の実施形態と同様の構成には同様の符号を付し、詳細な説明は省略する。
【００８８】
制御部１１Ａの条件管理部１１１Ａは、「紫外線指数連動」モードにおける条件の設定を受け付ける。図１０（ａ）は、条件設定画面の一例を示す説明図である。
【００８９】
「紫外線指数連動」モードは、紫外線指数によって通知タイミングを決定するモードである。紫外線指数とは、紫外線の強さを所定の段階別に示すものであり、例えば「きわめて強い」「非常に強い」「強い」「やや強い」「弱い」の５段階で表される。条件管理部１１１Ａは、図１０（ａ）に示すような通知条件設定画面１２００Ｅを表示させ、モード設定領域１２ａを介して「紫外線指数連動」モードで通知を行うかについてそのＯＮ／ＯＦＦの切り換えを受け付ける。
【００９０】
条件管理部１１１Ａは、「紫外線指数連動」モードがＯＮにされると、図１０（ｂ）に示すような通知条件テーブル１２１０Ａで、当該条件を管理する。
【００９１】
次に、状況予測部１１２Ａの実行する処理について説明する。状況予測部１１２Ａは、位置情報から割り出した地域の紫外線指数を、ネットワーク１０を介して気象情報配信サーバ２から取得する。気象情報配信サーバ２の制御部２１は、状況予測部１１２Ａから紫外線指数配信要求を受信すると、該当位置におけるその時点の紫外線指数を気象情報ＤＢ２２から抽出し、これを紫外線情報としてＩＦ部２３及びネットワーク１０を介して状況予測部１１２Ａに送信する。
【００９２】
状況予測部１１２Ａは、取得した紫外線情報から、紫外線履歴を作成する。図１１は、状況予測テーブル１２２０Ａの概略説明図である。紫外線履歴格納領域１２２Ｈは、例えば、紫外線情報の取得時刻を格納する取得時刻格納領域１２２Ｉと、紫外線指数を格納する紫外線指数格納領域１２２Ｊと、紫外線累積値を格納する紫外線累積値格納領域１２２Ｋと、から構成される。
【００９３】
ここで紫外線累積値とは、図１２に示す変換テーブル１２４０に予め登録される変換係数を用いて算出される値である。変換係数は、これを経過時間に乗じることで、紫外線の累積量を数値に換算し、定量的な評価を可能にするためのものである。よって変換係数は、紫外線指数の内容が紫外線が強いことを示すものであるほど高く、紫外線が弱いことを示すものであるほど低い。なお、変換テーブル１２４０は、記憶部１２Ａの変換テーブル記憶領域１２４に予め記憶されているものとする。
【００９４】
状況予測部１１２Ａはまず、紫外線履歴から最新の取得時刻と一つ前の取得時刻との時間差（ここでは、分単位とする）を算出し、これに最新の紫外線指数に応じた変換係数を乗じる。例えば、紫外線指数が「きわめて強い（変換係数１）」、時間差が「３分」の場合には、変換係数「１」に経過時間「３」を乗じた「３」が、３分間の紫外線蓄積量を数値に変換した紫外線累積値となる。状況予測部１１２Ａは、この紫外線累積値を、紫外線累積値格納領域１２２Ｋに格納する。
【００９５】
次に、通知判定部１１３Ａは、紫外線履歴の全てのレコードについて、紫外線累積値格納領域１２２Ｋに格納される紫外線累積値の総和を算出する。そして、この総和が所定の閾値に達していれば、紫外線量が一定に達したと判断して、通知を実行する。即ち、所定の閾値が「６０」であれば、紫外線指数「きわめて強い（変換係数１）」が６０分継続すると、通知が実行される。なお通知判定部１１３Ａは、通知が終了すると前回通知時刻を更新すると共に、紫外線履歴を削除する。これにより、紫外線履歴は、常に起算時刻以降のレコードのみから構成されていることとなる。
【００９６】
なお、所定の閾値は利用者が自由に決定することもできる。設定された閾値によって変換表を作成し直すことで、より利用者の望むタイミングでの通知が実現できる。
【００９７】
以上のように構成される本実施形態にかかるタイミング判定装置１Ａの実行する処理を、図１３に示すフローチャートを用いて説明する。図１３は、本実施形態に係る状況予測部１１２Ａの実行する処理の流れを示すフローチャートである。状況予測部１１２Ａは、条件管理部１１１Ａから開始要求を受け付けると（通知時間帯になると）、以下の処理を開始する。
【００９８】
状況予測部１１２Ａは、ＧＰＳ位置情報を取得する（ステップＳ３１）。
【００９９】
具体的に、状況予測部１１２Ａは、ＧＰＳ受信部１６を介してＧＰＳ位置情報を取得し、位置情報格納領域１２２Ｂに格納する。
【０１００】
次に状況予測部１１２Ａは、位置情報から割り出した地域の紫外線指数を取得する（ステップＳ３２）。
【０１０１】
具体的に、状況予測部１１２Ａは、ネットワーク１０を介して気象情報配信サーバ２に位置情報から割り出した地域の紫外線指数配信要求を送信する。そして、気象情報配信サーバ２から返される該当地域の現時点の紫外線指数に関する紫外線情報を受信する。
【０１０２】
さらに状況予測部１１２Ａは、紫外線情報から紫外線履歴を作成する（ステップＳ３３）。
【０１０３】
具体的に状況予測部１１２Ａは、紫外線履歴格納領域１２２Ｈに新たなレコードを作成する。そして、紫外線情報の取得時刻を取得時刻格納領域１２２Ｉに格納し、紫外線指数を紫外線指数格納領域１２２Ｊに格納する。さらに、最新のレコードに格納される取得時刻と一つ前のレコードに格納される取得時刻との時間差に、最新のレコードに格納される紫外線指数に応じた変換係数を乗じて紫外線累積値を算出し、紫外線累積値格納領域１２２Ｋに格納する。
【０１０４】
次に状況予測部１１２Ａは、現在が通知時間帯であるか否かを判定する（ステップＳ３４）。  
【０１０５】
未だ通知時間帯である場合には（ステップＳ３４でＹＥＳ）、ステップＳ３１へ戻って処理を繰り返す。通知時間帯が終了していた場合には（ステップＳ３４でＮＯ）、状況予測部１１２Ａは、状況予測テーブル１２２０Ａに格納される情報を全て削除し、処理を終了する。
【０１０６】
次に、本実施形態に係る通知判定部１１３Ａの実行する処理について説明する。図１４は、通知判定部１１３Ａの実行する処理の流れを示すフローチャートである。通知判定部１１３Ａは、条件管理部１１１から開始要求を受け付けると、以下の処理を開始する。
【０１０７】
通知判定部１１３Ａはまず、紫外線履歴に格納される全レコードの紫外線累積値格納領域１２２Ｋに格納される紫外線累積値の総和を算出する（ステップＳ４１）。
【０１０８】
次に、通知判定部１１３Ａは、紫外線累積値の総和が所定の閾値に達しているか否かを判定する（ステップＳ４２）。総和が所定の閾値に達していない場合には（ＮＯ）、ステップＳ４１へ戻って処理を繰り返し、達している場合には（ＹＥＳ）、ステップＳ４３へと進む。
【０１０９】
総和が所定の閾値に達していた場合（ステップＳ４２でＹＥＳ）、通知判定部１１３Ａは、通知を実行する（ステップＳ４３）。
【０１１０】
そして通知判定部１１３Ａは、通知時刻を前回通知時刻格納領域１２２Ａに登録し、紫外線履歴格納領域１２２Ｈの登録内容を全て削除する（ステップＳ４４）。
【０１１１】
さらに通知判定部１１３Ａは、現在が通知時間帯であるか否かを判定する（ステップＳ４５）。
【０１１２】
未だ通知時間帯である場合には（ＹＥＳ）、ステップＳ４１へ戻って処理を繰り返す。現在時刻が終了時刻に達しており、既に通知時間帯を終了している場合には（ＮＯ）、処理を終了する。
【０１１３】
このように、本発明のタイミング判定装置１Ａによれば、紫外線量を定量的に判断することで、より状況に適した通知が可能となる。
【０１１４】
なお、上記の実施形態は、本発明の要旨を例示することを意図し、本発明を限定するものではない。本発明の技術的思想の範囲内で様々な変形が可能である。
【０１１５】
例えば、各実施形態の構成は、他の実施形態に適用することができる。具体的に、第二の実施形態においても、第一の実施形態の天気と同様に、各紫外線指数に対する通知タイミングを利用者に設定させてもよい。
【０１１６】
また例えば、第一の実施形態においても、第二の実施形態と同様に、天気やキーワードについての変換表を備え、定量的に通知タイミングを決定してもよい。例えば、天気「晴」やキーワード「海水浴」に高い変換係数が、天気「雨」やキーワード「会議」に低い変換係数が定められた変換表を用いることができる。また、ＧＰＳ位置情報から明らかに屋内に居るのが明確である場合には、天気や紫外線、キーワードに関わらず低い変換係数を用いてもよい。もちろん、第一の実施形態と第二の実施形態の両方の処理を同時に実行することも可能である。
【０１１７】
さらに、利用者がスケジュール内容について日焼け止めが落ちやすい状況か否かを判断し、自らキーワードに対応する変換係数を定めることが可能な構成としてもよい。例えば、主に屋外でのスポーツであるキーワード「テニス」の場合には、汗、紫外線等で日焼け止めが落ちやすいと考えられるため、利用者が高い変換係数を自ら定め、設定画面を介して入力する。また、屋内で行われるようなキーワード「映画観賞」の場合には、日焼け止めが落ちにくいと考えられるため、利用者は低い変換係数を自ら定めて入力する。なお、変換係数の設定画面では、利用者に容易に理解されるような指標、例えば「強」「中」「弱」等で変換係数を設定可能としてもよい。その際には、各指標に対する実際の変換係数の値を対応させた表を、予め備えておくものとする。  
【０１１８】
また例えば、天気や紫外線指数のみならず、気象情報配信サーバ２から提供される様々な気象情報から、通知タイミングを判定することができる。例えば、レジャー指数、傘指数等の他の指数や、湿度、気圧配置等、どのような気象情報を用いてもよい。
【０１１９】
さらに、通知時間帯の中に非通知の時間帯を設けてもよい。例えば、キーワード「会議」を含むスケジュール中は非通知とする設定が可能な構成とすることができる。また、上記実施形態では定時設定の時刻には確実に通知が行われる構成であるが、起算時刻から所定の期間内は、非通知の時間帯としてもよい。
【０１２０】
なお、本願に係る皮膚外用剤とは、紫外線吸収剤又は紫外線散乱剤、又はその混合剤等を含む一般的なサンスクリーン剤に限定されるものではない。例えば、紫外線防護効果の有無にかかわらず、ファンデーション等の化粧品や医薬品等に応用することで、化粧くずれや薬効切れを防止することも可能である。
【符号の説明】
【０１２１】
１：タイミング判定装置、２：気象情報配信サーバ、３：スケジュール管理サーバ、４：撮像装置、１０：ネットワーク、１１：制御部、１２：記憶部、１３：入出力インターフェース部、１４：表示部、１５：操作部、１６：ＧＰＳ受信部、１００：タイミング判定装置、１１１：条件管理部、１１２：状況予測部、１１３：通知判定部、１２１：通知関連テーブル記憶領域、１２２：状況予測テーブル記憶領域、１２３：通知イベント記憶領域、１２４：変換テーブル記憶領域。
【図１】
2014010750.tif 000003
【図２】
2014010750.tif 000004
【図３】
2014010750.tif 000005
【図４】
2014010750.tif 000006
【図５】
2014010750.tif 000007
【図６】
2014010750.tif 000008
【図７】
2014010750.tif 000009
【図８】
2014010750.tif 000010
【図９】
2014010750.tif 000011
【図１０】
2014010750.tif 000012
【図１１】
2014010750.tif 000013
【図１２】
2014010750.tif 000014
【図１３】
2014010750.tif 000015
【図１４】
2014010750.tif 000016
【図１５】
2014010750.tif 000017